(57)【要約】【課題】鑑査済みの紙葉類束に過不足が発生していないか等を確認する必要が生じた場合の確認作業が大幅に軽減され、かつ、処理後に混在となった正券の紙葉類束と損券の紙葉類束との区分け作業が大幅に軽減される紙葉類処理システムを提供することである。【解決手段】実施形態に係る紙葉類処理システムは、供給部にセットされた紙葉類を１枚ずつ取込む取込手段と、この取込手段により取込まれた紙葉類を鑑査する鑑査手段と、この鑑査手段の鑑査結果に基づき前記紙葉類を種類ごとに区分して集積する集積手段と、この集積手段により集積された紙葉類を所定枚数ごとに施封することにより紙葉類把を作成する施封手段と、この施封手段により作成された紙葉類把を所定数ごとに帯で結束することにより紙葉類束を作成する結束手段と、この結束手段において紙葉類把を所定数ごとに結束する帯の結束方式を、あらかじめ設定された条件によって変更する結束方式変更手段とを具備している。【選択図】図１
2013025322.tif 000002
【特許請求の範囲】
【請求項１】
供給部にセットされた紙葉類を１枚ずつ取込む取込手段と、
この取込手段により取込まれた紙葉類を鑑査する鑑査手段と、
この鑑査手段の鑑査結果に基づき前記紙葉類を種類ごとに区分して集積する集積手段と、
この集積手段により集積された紙葉類を所定枚数ごとに施封することにより紙葉類把を作成する施封手段と、
この施封手段により作成された紙葉類把を所定数ごとに帯で結束することにより紙葉類束を作成する結束手段と、
この結束手段において紙葉類把を所定数ごとに結束する帯の結束方式を、あらかじめ設定された条件によって変更する結束方式変更手段と、
を具備したことを特徴とする紙葉類処理システム。
【請求項２】
前記結束手段は、外部から供給される紙葉類把を受入れる把受入手段を有し、前記施封手段により作成された紙葉類把あるいは前記把受入手段により受入れた紙葉類把を所定数ごとに帯で結束することにより紙葉類束を作成し、
前記結束方式変更手段におけるあらかじめ設定された条件とは、前記施封手段により作成された紙葉類把を結束する場合と、前記把受入手段により受入れた紙葉類把を結束する場合である請求項１記載の紙葉類処理システム。
【請求項３】
前記結束方式変更手段は、あらかじめ設定された条件によって帯の結束位置、帯の色、帯に貼付するラベルの印刷内容のうち少なくとも１つを変更することを特徴とする請求項１記載の紙葉類処理システム。
【請求項４】
供給部にセットされた紙葉類を１枚ずつ取込む取込手段と、
この取込手段により取込まれた紙葉類を１枚ずつ搬送する搬送手段と、
この搬送手段により搬送される紙葉類を鑑査する鑑査手段と、
この鑑査手段の鑑査結果に基づき、前記搬送手段により搬送される紙葉類を種類ごとに区分して集積する集積手段と、
この集積手段により集積された紙葉類を所定枚数ごとに施封することにより紙葉類把を作成する施封手段と、
この施封手段により作成された紙葉類把を所定数ごとに帯で結束することにより紙葉類束を作成する結束手段と、
この結束手段において紙葉類把を所定数ごとに帯で結束する際、当該紙葉類把に前記搬送手段において紙葉類のジャム処理が発生した紙葉類把が含まれているか否かを判定する判定手段と、
この判定手段の判定結果に基づき前記結束手段において紙葉類把を所定数ごとに結束する帯の結束方式を変更する結束方式変更手段と、
を具備したことを特徴とする紙葉類処理システム。
【請求項５】
前記結束方式変更手段は、前記判定手段の判定結果に基づき前記結束手段における帯の結束位置あるいは帯の色を変更することを特徴とする請求項４記載の紙葉類処理システム。
【発明の詳細な説明】
【技術分野】
【０００１】
本発明の実施形態は、紙葉類処理システムに関する。
【背景技術】
【０００２】
銀行券は、各金融機関において、各券種１００枚以上の保管や授受の際、同一券種１００枚分を紙製の帯（以下、「小帯」）で結束（以下、「施封」）した単位（以下、「把」、数量単位として「把」）で取り扱われている。また、同一券種１０把以上の保管や授受の際は、この把を１０把積み重ねて結束（以下、「１０把結束」、結束には小帯よりも幅が広いプラスチック製の帯が使用される、以下、「大帯」）した単位（以下、「束」、数量単位として「束」）で取り扱われている。この束については、取り扱い易さと枚数管理面の厳格性から透明フィルムで包装されるケースもある。
【０００３】
各金融機関の現金集中処理部門では、銀行券の鑑査・計数から束の包装までを機械で自動処理する紙葉類処理システム（銀行券処理システム）が使用されている。紙葉類処理システムは、鑑査・計数・施封を行なう処理装置本体、銀行券束（以降、単に束とも略称する）を作成する１０把結束装置、および、作成された束を包装する包装装置から構成される。
【０００４】
この種の紙葉類処理システムでは、束単位で受入れた銀行券を人手で開封して、処理装置本体の供給部にセットする。セットされた銀行券は１枚ずつ取込み、搬送され、真偽判定や正損判定等の鑑査が行なわれるとともに、種類ごとに計数され、事前に指定された区分（一般的には正券と損券を区分）ごとの搬送先（裁断部、集積部）に搬送される。
【０００５】
ある金融機関の場合、損券は裁断部へ搬送されて裁断処理され、その裁断片は吸引搬送されて裁断片処理システムで処理される。正券は集積部に搬送されて集積され、１００枚ごとに小帯で施封されて銀行券把（以降、単に把とも略称する）が作成される。当該金融機関以外の場合は、正券、損券とも、それぞれ割り当てられた集積部に搬送されて集積される。
【０００６】
なお、施封の際、小帯には正券か損券かを識別できる記号等が印刷され、オペレータは当該小帯の印刷内容を確認して正券か損券かの区別が可能となっている。
【０００７】
作成された把は、それぞれの区分ごとに１０把集積した後、区分に関わらず同一の大帯を使用して同じ位置で１０把結束して銀行券束が作成される。作成された束は、包装装置に搬送されて順次、包装して排出される。通常、この排出口は１つで、排出される包装済みの束を籠などで受けている。
【０００８】
また、紙葉類処理システムの一部に故障が発生した際は、当該故障装置を除いた可能な範囲で紙葉類処理システムが利用される。たとえば、処理装置本体が故障の場合、手作業等、当該紙葉類処理システム以外で作成された把を、当該紙葉類処理システムを使用して１０把結束、束包装が行なわれる。
【０００９】
また、紙葉類処理システムの導入状況によっては、当該紙葉類処理システム以外で鑑査・計数・施封した把を、当該紙葉類処理システムを使用して１０把結束、束包装を行なう運用も行なわれる。
【００１０】
しかしながら、鑑査・計数から束の包装までの処理を、当該紙葉類処理システムで連続した自動機械処理で作成された包装済み束と、そうでない包装済み束とを区別する情報は包装済み束に無い。
【００１１】
このため、たとえば、鑑査済み束に枚数の過不足（通常、正常な束は１０００枚だが、たとえば９９９枚や１００１枚）が発生していないかを確認する必要が生じた場合、連続した自動機械処理で作成した包装済み束も確認対象となってしまい、膨大な作業量となる。
【００１２】
また、包装装置の排出口が１つで、籠などで排出される包装済み束を受けるため、区分ごとに作成された束が、包装処理後に籠などの中で混在状態となる。  
金融機関での業務としては、正券と損券は区別されて取り扱う必要があるため、包装済み束を人手で区分けする作業が発生する。この区分け作業は、小帯の印刷内容を目視確認する必要があり、混在状態の包装済み束を一瞥するだけでは確認できないため、作業者への負担も大きいという問題がある。
【先行技術文献】
【特許文献】
【００１３】
【特許文献１】特開２００８−２７６７５１号公報
【発明の概要】
【発明が解決しようとする課題】
【００１４】
本発明が解決しようとする課題は、鑑査済みの紙葉類束に過不足が発生していないか等を確認する必要が生じた場合の確認作業が大幅に軽減され、かつ、処理後に混在となった正券の紙葉類束と損券の紙葉類束との区分け作業が大幅に軽減される紙葉類処理システムを提供することである。
【課題を解決するための手段】
【００１５】
実施形態に係る紙葉類処理システムは、供給部にセットされた紙葉類を１枚ずつ取込む取込手段と、この取込手段により取込まれた紙葉類を鑑査する鑑査手段と、この鑑査手段の鑑査結果に基づき前記紙葉類を種類ごとに区分して集積する集積手段と、この集積手段により集積された紙葉類を所定枚数ごとに施封することにより紙葉類把を作成する施封手段と、この施封手段により作成された紙葉類把を所定数ごとに帯で結束することにより紙葉類束を作成する結束手段と、この結束手段において紙葉類把を所定数ごとに結束する帯の結束方式を、あらかじめ設定された条件によって変更する結束方式変更手段とを具備している。
【図面の簡単な説明】
【００１６】
【図１】実施形態に係る紙葉類処理システムの構成を概略的に示す模式図。
【図２】把結束装置における把結束機構の第１の実施形態について説明する模式図。
【図３】把結束装置における把結束機構の第２の実施形態について説明する模式図。
【図４】把結束装置における把結束機構の第３の実施形態について説明する模式図。
【図５】実施形態に係る紙葉類処理システムの全体的な処理の流れについて説明する処理の流れ図。
【図６】第１の実施形態に係る紙葉類処理システムの動作を説明するフローチャート。
【図７】第２の実施形態に係る紙葉類処理システムの動作を説明するフローチャート。
【図８】第３の実施形態に係る紙葉類処理システムの動作を説明するフローチャート。
【図９】第４の実施形態に係る紙葉類処理システムの動作を説明するフローチャート。
【図１０】第４の実施形態におけるジャム処理に係る処理の流れを説明するフローチャート。
【発明を実施するための形態】
【００１７】
以下、実施形態の紙葉類処理システムについて図面を参照して説明する。  
図１は、本実施形態に係る紙葉類処理システムの構成を概略的に示すものである。この紙葉類処理システムは、銀行券の鑑査・計数・施封を行なう処理装置本体１０、銀行券束を作成する把結束装置２０、および、作成された銀行券束を包装する包装装置３０から構成される。なお、包装装置３０は省略される場合もある。
【００１８】
処理装置本体１０は、銀行券投入口１１を備えた供給・取込部１２、取込まれた銀行券に対し真偽判定や正損判定等の鑑査を行なうとともに種類ごとに計数する鑑査・計数部１３、偽券などの排除券を集積する排除券集積部１４、損券を裁断する裁断部１５、真券と判定された銀行券（正券、損券）を集積する集積部１６ａ，１６ｂ、集積された銀行券を１００枚ごとに小帯で施封することで銀行券把を作成する施封部１７ａ，１７ｂ、作成された銀行券把を排出する把排出口１８ｂを備えた把排出部１８ａ、および、銀行券や銀行券把を搬送する搬送路１９から構成される。なお、搬送路１９には銀行券のジャムを検出するジャム検出手段が設けられているが、これは公知の技術であるので説明は省略する。
【００１９】
把結束装置２０は、処理装置本体１０から送られる銀行券把を集積する把集積部２１ａ，２１ｂ、把集積部２１ａ，２１ｂに集積された１０個の銀行券把を大帯で結束することで銀行券束を作成する把結束部２２、作成された銀行券束を排出する束排出口２３を備えた束排出部２４、および、銀行券把や銀行券束を搬送する搬送路２８から構成される。
【００２０】
また、把結束装置２０は、把投入口２５を備えた把取込部２６および集積先指定釦２７を備えていて、操作者の手操作により把投入口２５から銀行券把を投入して集積先指定釦２７で集積先を指定することにより、把取込部２６により銀行券把を取込み、指定された把集積部２１ａまたは２１ｂに搬送することが可能となっている。これは、たとえば、処理装置本体１０が停止している際に、当該紙葉類処理システム以外で鑑査・計数・施封した銀行券把、あるいは、処理装置本体１０の把排出口１８から排出された銀行券把の処理を行なうために使用される。
【００２１】
なお、束排出口２３を備えた束排出部２４は、たとえば、包装装置３０が故障している場合に、作成した銀行券束を排出するために使用される。
【００２２】
さらに、把結束装置２０は、１０把結束する大帯の結束方式を、あらかじめ設定された条件によって変更する把結束機構を備えている。第１の実施形態では、大帯での結束位置を自動的に切換え可能な把結束機構とし、たとえば、あらかじめ設定される以下のケース（条件）で結束位置を通常の結束位置から変更する。  
（１）把投入口２５から投入した銀行券把が含まれる１０把を結束する場合。  
（２）包装装置３０が故障している場合（束排出口２３から作成した銀行券束が排出される）。
【００２３】
図２に示す具体例を参照して説明すると、処理装置本体１０から受取った銀行券把（連続した自動機械処理で作成された銀行券把）を１０把結束する場合は、図２（ａ）に示すように、銀行券把Ｐ１の小帯Ｔ１の直ぐ横の位置（通常の結束位置）で大帯Ｔ２による結束を行なう。
【００２４】
これに対し把投入口２５から投入された銀行券把（なんらか人手による扱いが発生していると思われる銀行券把）を１０把結束する場合は、図２（ｂ）に示すように、銀行券把Ｐ２の小帯Ｔ１から一定距離Ｌ離れた位置で大帯Ｔ２による結束を行なう。
【００２５】
また、把結束装置２０における把結束機構の第２の実施形態では、あらかじめ設定される条件によって結束する大帯の色を自動的に切換え可能な把結束機構とし、たとえば、正券と損券とで大帯の色を変更する。
【００２６】
すなわち、把結束装置２０において２種の大帯をセットできる構造とし、大帯での結束の際、あらかじめ設定された条件によって使用する大帯を選択して結束する構造とする。第２の実施形態では、たとえば、青色と赤色の２種の大帯を使用し、正券には青色の大帯を、損券には赤色の大帯を使用する条件とする。
【００２７】
図３に示す具体例を参照して説明すると、図３（ａ）に示すように、処理装置本体１０から受取った正券の銀行券把Ｐ３には青色の大帯Ｔ３で結束し、図３（ｂ）に示すように、処理装置本体１０から受取った損券の銀行券把Ｐ４には赤色の大帯Ｔ４で結束する。
【００２８】
また、把結束装置２０における把結束機構の第３の実施形態では、結束する大帯は１種とし、ラベル印刷・貼付装置を装備し、大帯での結束の際、あらかじめ設定された条件によってラベルへの印刷内容を変更して結束後の大帯に貼り付ける把結束機構とし、たとえば、正券と損券とでラベルへの印刷内容を変更する。
【００２９】
すなわち、第３の実施形態では、たとえば、結束した大帯に貼付するラベルへの印刷内容を青色文字「Ｆ」、赤色文字「Ｕ」の２種とし、正券（Ｆｉｔ）には青色文字「Ｆ」の印刷を、損券（Ｕｎ−Ｆｉｔ）には赤色文字「Ｕ」の印刷を使用する条件とする。
【００３０】
図４に示す具体例を参照して説明すると、図４（ａ）に示すように、処理装置本体１０から受取った正券の銀行券把Ｐ３には青色文字「Ｆ」を印刷したラベルＬ１を大帯Ｔ５に貼付し、図４（ｂ）に示すように、処理装置本体１０から受取った損券の銀行券把Ｐ４には赤色文字「Ｕ」を印刷したラベルＬ２を大帯Ｔ５に貼付する。
【００３１】
包装装置３０は、１０把結束装置２０から送られる銀行券束を包装する包装部３１、および、包装された銀行券束を排出する束排出口３２、および、銀行券束を搬送する搬送路３５から構成される。
【００３２】
また、包装装置３０は、束投入口３３を備えた束取込部３４を備えていて、操作者の手操作により束投入口３３から投入された銀行券束を束取込部３４により取込み、包装部３１へ搬送して包装することが可能となっている。これは、たとえば、把結束装置２０の束排出口２３から排出された銀行券束の包装を行なうために使用される。
【００３３】
次に、上記のような構成において、第１の実施形態に係る紙葉類処理システムの動作について、図５に示す処理の流れ図および図６に示すフローチャートを参照して説明する。
【００３４】
操作者は、たとえば、束単位で受入れた銀行券を開封して、処理装置本体１０の供給・取込部１２にセットし、図示しない操作パネル上の処理開始釦を押下する。すると、セットされた銀行券は供給・取込部１２により１枚ずつ取込み、搬送されて鑑査・計数部１３へ送られ（ステップＳ１）、ここで、真偽判定や正損判定等の鑑査が行なわれるとともに、種類ごとに計数される（ステップＳ２）。鑑査・計数部１３での鑑査結果によって銀行券の搬送先が区分される（ステップＳ３〜Ｓ５）。
【００３５】
たとえば、判定できなかった判定不能券などの銀行券は排除券集積部１４へ搬送される（ステップＳ４）。真券と判定された銀行券は正券か損券に判定される。ある金融機関で使用される場合、損券と判定された銀行券は裁断部１５へ搬送され、ここで裁断処理される。正券と判定された銀行券は集積部１６ａまたは１６ｂへ搬送され、ここに集積される（ステップＳ５）。
【００３６】
ある金融機関以外で使用される場合、裁断部１５は使用されず、正損判定の結果によって集積部１６ａ，１６ｂにそれぞれ区分される。たとえば、正券と判定された銀行券は集積部１６ａへ搬送されて集積され、損券と判定された銀行券は集積部１６ｂへ搬送されて集積される。
【００３７】
集積部１６ａ，１６ｂは、それぞれ銀行券の集積枚数が１００枚に達すると（ステップＳ６）、１００枚の銀行券を集積した状態のまま一括して施封部１７ａ，１７ｂへ搬送する（ステップＳ７）。施封部１７ａ，１７ｂは、集積部１６ａ，１６ｂから１００枚集積された銀行券を受取ると、小帯に施封情報（日時、正損判定結果の情報を示す文字など）を印刷した後、当該小帯により施封することで銀行券把を作成し、作成した銀行券把を把結束装置２０へ搬送する（ステップＳ８）。その際、たとえば、把結束装置２０が故障している場合、当該作成された銀行券把は把排出部１９により把排出口１８から外部へ排出する。
【００３８】
把結束装置２０では、施封部１７ａから受取った銀行券把を把集積部２１ａへ、施封部１７ｂから受取った銀行券把を把集積部２１ｂへ、それぞれ搬送する（ステップＳ９）。把集積部２１ａ，２１ｂは、それぞれ集積数が１０把に達すると（ステップＳ１０）、１０把集積した状態のまま一括して把結束部２２へ搬送する（ステップＳ１１）。
【００３９】
把結束部２２は、１０把集積された銀行券把を受取り、当該１０把集積された銀行券把に把投入口２５から投入された銀行券把が含まれているか否かを判定し（ステップＳ１２）、把投入口２５から投入された銀行券把が含まれていない場合、大帯Ｔ２により結束する結束位置を通常の結束位置（図２（ａ）参照）に設定し（ステップＳ１３）、把投入口２５から投入された銀行券把が含まれている場合、大帯Ｔ２により結束する結束位置を小帯Ｔ１から一定距離Ｌ離れた位置（図２（ｂ）参照）に設定する（ステップＳ１４）。
【００４０】
次に、把結束部２２は、把集積部２１ａ（２１ｂ）から送られた１０把集積された銀行券把を設定された結束位置で大帯Ｔ２により結束することで銀行券束を作成し（ステップＳ１５）、作成した銀行券束を包装装置３０へ搬送する（ステップＳ１６）。
【００４１】
なお、ステップＳ１２における把投入口２５から投入された銀行券把が含まれているか否かの判定は、一例として、把投入口２５から投入した銀行券把を処理する場合、あらかじめ操作者により図示しない操作パネルなどによりその旨の条件が設定されるようになっているので、その設定内容により判定することが考えられる。
【００４２】
包装装置３０では、把結束装置２０から受取った銀行券束を順次、包装部３１へ搬送する。包装部３１は、受取った銀行券束を順次、透明フィルムでシュリンク包装して束排出口３２から外部へ排出する（ステップＳ１７）。束排出口３２から排出される包装済み束は、籠などで受ける運用が行なわれる。
【００４３】
このように、第１の実施形態によれば、処理装置本体１０から受取った銀行券把（連続した自動機械処理で作成された銀行券把）Ｐ１を１０把結束する場合と、把投入口２５から投入された銀行券把（なんらか人手による扱いが発生していると思われる銀行券把）Ｐ２を１０把結束する場合とによって、１０把結束する大帯Ｔ２の位置を変更する。これにより、連続した自動機械処理で作成された包装済み銀行券束と、そうでない包装済み銀行券束（なんらかの人手による扱いが発生した銀行券束）との判別が容易に可能となる。
【００４４】
次に、第２の実施形態に係る紙葉類処理システムの動作について、図５に示す処理の流れ図および図７に示すフローチャートを参照して説明する。  
なお、ステップＳ１〜Ｓ１１およびステップＳ１６〜Ｓ１７の処理は、前述した第１の実施形態（図６）と同様であるので説明は省略し、異なる部分（ステップＳ１８〜Ｓ２１）だけ説明する。
【００４５】
把結束部２２は、ステップＳ１１で把集積部２１ａ（２１ｂ）から送られる１０把集積された銀行券把を受取ると、当該１０把集積された銀行券把は正券か損券かを判定し（ステップＳ１８）、正券の場合は結束する大帯を青色の大帯Ｔ３（図３（ａ）参照）に設定し（ステップＳ１９）、損券の場合は結束する大帯を赤色の大帯Ｔ４（図３（ｂ）参照）に設定する（ステップＳ２０）。
【００４６】
次に、把結束部２２は、把集積部２１ａ（２１ｂ）から送られた１０把集積された銀行券把を設定された色の大帯Ｔ３またはＴ４により結束することで銀行券束を作成し（ステップＳ２１）、作成した銀行券束を包装装置３０へ搬送する（ステップＳ１６）。
【００４７】
なお、ステップＳ１８における正券か損券かの判定は、一例として、把集積部２１ａには正券の銀行券把が集積され、把集積部２１ｂには損券の銀行券把が集積されるので、１０把集積された銀行券把が送られてきた把集積部を知ることにより判定することが考えられる。
【００４８】
このように、第２の実施形態によれば、処理装置本体１０から受取った正券の銀行券把Ｐ３には青色の大帯Ｔ３で結束し、処理装置本体１０から受取った損券の銀行券把Ｐ４には赤色の大帯Ｔ４で結束する。これにより、包装装置３０からの排出後に混在となる正券の包装済み銀行券束と損券の包装済み銀行券束との判別が、大帯を一瞥するだけで容易に可能となる。
【００４９】
次に、第３の実施形態に係る紙葉類処理システムの動作について、図５に示す処理の流れ図および図８に示すフローチャートを参照して説明する。  
なお、ステップＳ１〜Ｓ１１およびステップＳ１６〜Ｓ１８の処理は、前述した第２の実施形態（図７）と同様であるので説明は省略し、異なる部分（ステップＳ２２〜Ｓ２４）だけ説明する。
【００５０】
把結束部２２は、ステップＳ１１で把集積部２１ａ（２１ｂ）から送られる１０把集積された銀行券把を受取ると、当該１０把集積された銀行券把は正券か損券かを判定し（ステップＳ１８）、正券の場合はラベルの印刷文字を青色（図４（ａ）参照）に設定し（ステップＳ２２）、損券の場合はラベルの印刷文字を赤色（図４（ｂ）参照）に設定する（ステップＳ２３）。
【００５１】
次に、把結束部２２は、把集積部２１ａ（２１ｂ）から送られた１０把集積された銀行券把を大帯Ｔ５により結束することで銀行券束を作成するとともに、作成した銀行券束の大帯Ｔ５に設定された色の文字を印刷したラベルＬ１またはＬ２を貼付し（ステップＳ２４）、当該銀行券束を包装装置３０へ搬送する（ステップＳ１６）。
【００５２】
このように、第３の実施形態によれば、処理装置本体１０から受取った正券の銀行券把Ｐ３には青色文字「Ｆ」を印刷したラベルＬ１を大帯Ｔ５に貼付し、処理装置本体１０から受取った損券の銀行券把Ｐ４には赤色文字「Ｕ」を印刷したラベルＬ２を大帯Ｔ５に貼付する。これにより、包装装置３０からの排出後に混在となる正券の包装済み銀行券束と損券の包装済み銀行券束との判別が、大帯を一瞥するだけで容易に可能となる。
【００５３】
次に、第４の実施形態に係る紙葉類処理システムの動作について、図５に示す処理の流れ図および図９に示すフローチャートを参照して説明する。  
なお、ステップＳ１〜Ｓ１１およびステップＳ１３〜Ｓ１７の処理は、前述した第１の実施形態（図６）と同様であるので説明は省略し、異なる部分（ステップＳ２５）だけ説明する。
【００５４】
把結束部２２は、ステップＳ１１で把集積部２１ａ（２１ｂ）から送られる１０把集積された銀行券把を受取ると、当該１０把集積された銀行券把にジャム処理の発生した銀行券把が含まれているか否かを判定し（ステップＳ２５）、ジャム処理の発生した銀行券把が含まれていない場合、大帯Ｔ２により結束する結束位置を通常の結束位置（第１の実施形態と同様、図２（ａ）参照）に設定し（ステップＳ１３）、ジャム処理の発生した銀行券把が含まれている場合、大帯Ｔ２により結束する結束位置を小帯Ｔ１から一定距離Ｌ離れた位置（第１の実施形態と同様、図２（ｂ）参照）に設定する（ステップＳ１４）。
【００５５】
次に、把結束部２２は、把集積部２１ａ（２１ｂ）から送られた１０把集積された銀行券把を設定された結束位置で大帯Ｔ２により結束することで銀行券束を作成し（ステップＳ１５）、作成した銀行券束を包装装置３０へ搬送する（ステップＳ１６）。
【００５６】
なお、ステップＳ２５におけるジャム処理の発生した銀行券把が含まれているか否かの判定は、一例として、処理装置本体１０の搬送路１９において銀行券のジャムが発生した場合、ジャム検出手段により検出され、処理装置本体１０は動作を停止してジャム処理待ち状態となるので、このようなジャムが発生した場合、１０把集積された銀行券把にジャム処理の発生した銀行券把が含まれているものと判定する。
【００５７】
次に、第４の実施形態におけるジャム処理に係る処理の流れについて、図１０に示すフローチャートを参照して説明する。
【００５８】
たとえば、処理装置本体１０の搬送路１９において銀行券のジャムが発生した場合、図示しないジャム検出手段により検出され（ステップＳ３１）、処理装置本体１０は動作を停止されてジャム処理待ち状態に設定され、ジャムが発生したことが操作員に報知される（ステップＳ３２）。
【００５９】
ジャムが発生すると、操作員は、各部（搬送路１９および集積部１６ａ，１６ｂ等）から銀行券を全て取出し（ステップＳ３３）、その後、図示しない操作パネル上の初期化釦を押下することにより初期化する（ステップＳ３４）。
【００６０】
初期化されると、集積部１６ａ，１６ｂへ戻す銀行券（ジャムが発生する前まで正常に処理された銀行券）の枚数が図示しない操作パネル上に表示される（ステップＳ３５）。これを目視した操作員は、ステップＳ３３で取出した銀行券から、ステップＳ３５で表示された枚数分の銀行券を集積部１６ａ，１６ｂへ戻し（ステップＳ３６）、その後、図示しない操作パネル上のジャム処理確認釦を押下することによりジャム処理待ち状態をクリアする（ステップＳ３７）。ジャム処理待ち状態がクリアされると、図９のステップＳ１に進み、前述同様な動作を行なう。
【００６１】
このように、第４の実施形態によれば、１０把集積された銀行券把にジャム処理の発生した銀行券把が含まれている場合、１０把結束する大帯の位置を変更することにより、ジャム処理の発生した銀行券把が含まれる包装済み銀行券束（ジャムが発生しない状態で作成された包装済み銀行券束よりも枚数の過不足発生の可能性が高い）と、そうでない包装済み銀行券束との判別が容易に可能となる。
【００６２】
なお、１０把結束する大帯の位置を変更する代りに、たとえば、第２の実施形態と同様に１０把結束する大帯の色を変更するようにしてもよい。
【００６３】
以上述べた少なくとも１つの実施形態の紙葉類処理システムによれば、連続した自動機械処理で作成される銀行券束と、そうでない銀行券束（なんらかの人手による扱いが発生した銀行券束）によって、１０把結束する大帯の位置を変更することで、両銀行券束の判別が容易に可能となる。
【００６４】
これにより、鑑査済みの銀行券束に枚数の過不足が発生していないかを確認する必要が生じた場合、包装済み銀行券束の中から自動機械処理で作成された包装済み銀行券束以外の包装済み銀行券束の抽出が容易に可能となる。
【００６５】
したがって、たとえば、なんらかの人手による処理が行なわれた包装済み銀行券束（連続した自動機械処理で作成された包装済み銀行券束よりも枚数の過不足発生の可能性が高い）に確認の範囲が限定できるため、大幅に確認作業が軽減される。  
また、その確認対象となる包装済み銀行券束の抽出作業も、包装済み銀行券束を一瞥するだけで容易に可能となる。
【００６６】
また、正券と損券によって１０把結束する大帯の色を変更するか、あるいは、１０把結束する大帯に貼るラベルの印刷内容を変更することで、包装装置からの排出後に混在となる正券の包装済み銀行券束と損券の包装済み銀行券束との判別が、大帯を一瞥するだけで容易に可能となる。そのため、小帯に印刷される正損区分の文字を見て判別する従来の区分け作業に比べ、大幅に作業が軽減される。また、区分けを間違えた際にも発見が容易となる。
【００６７】
さらに、１０把集積された銀行券把にジャム処理の発生した銀行券把が含まれている場合、１０把結束する大帯の位置を変更することで、ジャム処理の発生した銀行券把が含まれる包装済み銀行券束と、そうでない包装済み銀行券束との判別が容易に可能となる。
【００６８】
これにより、鑑査済みの銀行券束に枚数の過不足が発生していないかを確認する必要が生じた場合、たとえば、人手による処理が行なわれたジャム処理の発生した銀行券把が含まれる包装済み銀行券束（ジャムが発生しない状態で作成された包装済み銀行券束よりも枚数の過不足発生の可能性が高い）に確認の範囲が限定できるため、大幅に確認作業が軽減される。  
なお、前記実施形態では、紙葉類が銀行券の場合について説明したが、これに限定されるものではなく、たとえば、小切手やその外の有価証券などであっても同様に適用可能である。
【００６９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれると同様に、特許請求の範囲に記載された発明とその均等の範囲に含まれるものである。
【符号の説明】
【００７０】
１０…処理装置本体、２０…把結束装置、３０…包装装置、１１…銀行券投入口、１２…供給・取込部、１３…鑑査・計数部、１４…排除券集積部、１５…裁断部、１６ａ，１６ｂ…集積部、１７ａ，１７ｂ…施封部、２１ａ，２１ｂ…把集積部、２２…把結束部、２５…把投入口、２６…把取込部、３１…包装部、３２…束排出口、３３…束投入口、３４…束取込部、１９，２８，３５…搬送路。
【図１】
2013025322.tif 000003
【図２】
2013025322.tif 000004
【図３】
2013025322.tif 000005
【図４】
2013025322.tif 000006
【図５】
2013025322.tif 000007
【図６】
2013025322.tif 000008
【図７】
2013025322.tif 000009
【図８】
2013025322.tif 000010
【図９】
2013025322.tif 000011
【図１０】
2013025322.tif 000012